(57)【要約】【課題】特定エリア内の不特定の移動局ＵＥに所望無線品質を測定させて報告させる。【解決手段】本発明に係る移動通信方法は、移動局ＵＥが、無線基地局ｅＮＢ＃Ａ配下の測定対象エリア外のセル＃Ａから無線基地局ｅＮＢ＃Ｂ配下の測定対象エリア内のセル＃Ｂにハンドオーバする移動通信方法であって、無線基地局ｅＮＢ＃Ａが、無線基地局ｅＮＢ＃Ｂに対して、「ＨＯ  Ｒｅｑｕｅｓｔ」を送信する工程Ａと、無線基地局ｅＮＢ＃Ｂが、無線基地局ｅＮＢ＃Ａに対して、所望無線品質の測定及び報告を行うように指示するための「Ｍｅａｓｕｒｅｍｅｎｔ  Ｃｏｎｆｉｇｕｒａｔｉｏｎ」を含む「ＨＯ  Ｃｏｍｍａｎｄ」を含む「ＨＯ  Ｒｅｑｕｅｓｔ  Ａｃｋ」を送信する工程Ｂと、無線基地局ｅＮＢ＃Ａが、移動局ＵＥに対して、「Ｍｅａｓｕｒｅｍｅｎｔ  Ｃｏｎｆｉｇｕｒａｔｉｏｎ」を含む「ＨＯ  Ｃｏｍｍａｎｄ」を送信する工程Ｃとを有する。【選択図】図３
2012005093.tif 000002
【特許請求の範囲】
【請求項１】
移動局が、第１無線基地局配下の測定対象エリア外の第１セルから、第２無線基地局配下の測定対象エリア内の第２セルにハンドオーバする移動通信方法であって、
前記第１無線基地局が、前記第２無線基地局に対して、ハンドオーバ要求信号を送信する工程Ａと、
前記第２無線基地局が、前記第１無線基地局に対して、所望無線品質の測定及び報告を行うように指示するための指示情報を含むハンドオーバ指示信号を含むハンドオーバ要求応答信号を送信する工程Ｂと、
前記第１無線基地局が、前記移動局に対して、前記ハンドオーバ指示信号を送信する工程Ｃとを有することを特徴とする移動通信方法。
【請求項２】
前記工程Ａにおいて、前記第１無線基地局は、前記第１セルが測定対象エリア外のセルであることを示す測定対象エリア外情報を含む前記ハンドオーバ要求信号を送信し、
前記工程Ｂにおいて、前記第２無線基地局は、前記測定対象エリア外情報に応じて、前記ハンドオーバ要求応答信号を送信することを特徴とする請求項１に記載の移動通信方法。
【請求項３】
前記工程Ａにおいて、前記第１無線基地局は、前記第１セルに割り当てられている識別情報を含む前記ハンドオーバ要求信号を送信し、
前記工程Ｂにおいて、前記第２無線基地局は、前記第１セルに割り当てられている識別情報に応じて、前記ハンドオーバ要求応答信号を送信することを特徴とする請求項１に記載の移動通信方法。
【請求項４】
移動局が、第１無線基地局配下の測定対象エリア内の第１セルから、第２無線基地局配下の測定対象エリア内の第２セルにハンドオーバする移動通信方法であって、
前記移動局に対して、所望無線品質の測定及び報告を行うように指示するための指示情報を送信する工程と、
前記第１無線基地局が、前記第２無線基地局に対して、前記第１セルが測定対象エリア内のセルであることを示す測定対象エリア内情報を含むハンドオーバ要求信号を送信する工程と、
前記第２無線基地局が、前記測定対象エリア内情報に応じて、前記第１無線基地局に対して、前記指示情報を含まないハンドオーバ指示信号を含むハンドオーバ要求応答信号を送信する工程と、
前記第１無線基地局が、前記移動局に対して、前記ハンドオーバ指示信号を送信する工程とを有することを特徴とする移動通信方法。
【請求項５】
移動局が、第１無線基地局配下の測定対象エリア内の第１セルから、第２無線基地局配下の測定対象エリア内の第２セルにハンドオーバする移動通信方法であって、
前記移動局に対して、所望無線品質の測定及び報告を行うように指示するための指示情報を送信する工程と、
前記第１無線基地局が、前記第２無線基地局に対して、前記第１セルに割り当てられている識別情報を含むハンドオーバ要求信号を送信する工程と、
前記第２無線基地局が、前記第１セルに割り当てられている識別情報に応じて、前記第１無線基地局に対して、前記指示情報を含まないハンドオーバ指示信号を含むハンドオーバ要求応答信号を送信する工程と、
前記第１無線基地局が、前記移動局に対して、前記ハンドオーバ指示信号を送信する工程とを有することを特徴とする移動通信方法。
【請求項６】
移動局が、第１無線基地局配下の測定対象エリア内の第１セルから、第２無線基地局配下の測定対象エリア外の第２セルにハンドオーバする移動通信方法であって、
前記第１無線基地局が、前記第２無線基地局に対して、ハンドオーバ要求信号を送信する工程Ａと、
前記第２無線基地局が、前記第１無線基地局に対して、所望無線品質の測定及び報告を停止するように指示するための指示情報を含むハンドオーバ指示信号を含むハンドオーバ要求応答信号を送信する工程Ｂと、
前記第１無線基地局が、前記移動局に対して、前記ハンドオーバ指示信号を送信する工程Ｃとを有することを特徴とする移動通信方法。
【請求項７】
前記工程Ａにおいて、前記第１無線基地局は、前記第１セルが測定対象エリア内のセルであることを示す測定対象エリア外情報を含む前記ハンドオーバ要求信号を送信し、
前記工程Ｂにおいて、前記第２無線基地局は、前記測定対象エリア内情報に応じて、前記ハンドオーバ要求応答信号を送信することを特徴とする請求項６に記載の移動通信方法。
【請求項８】
前記工程Ａにおいて、前記第１無線基地局は、前記第１セルに割り当てられている識別情報を含む前記ハンドオーバ要求信号を送信し、
前記工程Ｂにおいて、前記第２無線基地局は、前記第１セルに割り当てられている識別情報に応じて、前記ハンドオーバ要求応答信号を送信することを特徴とする請求項６に記載の移動通信方法。
【発明の詳細な説明】
【技術分野】
【０００１】
本発明は、移動通信方法に関する。
【背景技術】
【０００２】
３ＧＰＰでは、特定の移動局ＵＥに所望無線品質を測定させて報告させる「ＭＤＴ（Ｍｉｎｉｍｉｓａｔｉｏｎ  ｏｆ  Ｄｒｉｖｅ  Ｔｅｓｔｓ）」という手法が議論されている。
【先行技術文献】
【非特許文献】
【０００３】
【非特許文献１】３ＧＰＰ  ＴＲ３６.８０５、「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  （Ｅ-ＵＴＲＡ）；  Ｓｔｕｄｙ  ｏｎ  ｍｉｎｉｍｉｚａｔｉｏｎ  ｏｆ  ｄｒｉｖｅ-ｔｅｓｔｓ  ｉｎ  ｎｅｘｔ  ｇｅｎｅｒａｔｉｏｎ  ｎｅｔｗｏｒｋｓ」
【非特許文献２】３ＧＰＰ  ＴＳ３７.３２０、「Ｒａｄｉｏ  ｍｅａｓｕｒｅｍｅｎｔ  ｃｏｌｌｅｃｔｉｏｎ  ｆｏｒ  ＭＤＴ」
【発明の概要】
【発明が解決しようとする課題】
【０００４】
しかしながら、上述のＭＤＴでは、特定エリア内の不特定の移動局ＵＥに所望無線品質を測定させて報告させる方法について規定されていない。
【０００５】
そこで、本発明は、上述の課題に鑑みてなされたものであり、特定エリア内の不特定の移動局ＵＥに所望無線品質を測定させて報告させることができる移動通信方法を提供することを目的とする。
【課題を解決するための手段】
【０００６】
本発明の第１の特徴は、移動局が、第１無線基地局配下の測定対象エリア外の第１セルから、第２無線基地局配下の測定対象エリア内の第２セルにハンドオーバする移動通信方法であって、前記第１無線基地局が、前記第２無線基地局に対して、ハンドオーバ要求信号を送信する工程Ａと、前記第２無線基地局が、前記第１無線基地局に対して、所望無線品質の測定及び報告を行うように指示するための指示情報を含むハンドオーバ指示信号を含むハンドオーバ要求応答信号を送信する工程Ｂと、前記第１無線基地局が、前記移動局に対して、前記ハンドオーバ指示信号を送信する工程Ｃとを有することを要旨とする。
【０００７】
本発明の第２の特徴は、移動局が、第１無線基地局配下の測定対象エリア内の第１セルから、第２無線基地局配下の測定対象エリア内の第２セルにハンドオーバする移動通信方法であって、前記移動局に対して、所望無線品質の測定及び報告を行うように指示するための指示情報を送信する工程と、前記第１無線基地局が、前記第２無線基地局に対して、前記第１セルが測定対象エリア内のセルであることを示す測定対象エリア内情報を含むハンドオーバ要求信号を送信する工程と、前記第２無線基地局が、前記測定対象エリア内情報に応じて、前記第１無線基地局に対して、前記指示情報を含まないハンドオーバ指示信号を含むハンドオーバ要求応答信号を送信する工程と、前記第１無線基地局が、前記移動局に対して、前記ハンドオーバ指示信号を送信する工程とを有することを要旨とする。
【０００８】
本発明の第３の特徴は、移動局が、第１無線基地局配下の測定対象エリア内の第１セルから、第２無線基地局配下の測定対象エリア内の第２セルにハンドオーバする移動通信方法であって、前記移動局に対して、所望無線品質の測定及び報告を行うように指示するための指示情報を送信する工程と、前記第１無線基地局が、前記第２無線基地局に対して、前記第１セルに割り当てられている識別情報を含むハンドオーバ要求信号を送信する工程と、前記第２無線基地局が、前記第１セルに割り当てられている識別情報に応じて、前記第１無線基地局に対して、前記指示情報を含まないハンドオーバ指示信号を含むハンドオーバ要求応答信号を送信する工程と、前記第１無線基地局が、前記移動局に対して、前記ハンドオーバ指示信号を送信する工程とを有することを要旨とする。
【０００９】
本発明の第４の特徴は、移動局が、第１無線基地局配下の測定対象エリア内の第１セルから、第２無線基地局配下の測定対象エリア外の第２セルにハンドオーバする移動通信方法であって、前記第１無線基地局が、前記第２無線基地局に対して、ハンドオーバ要求信号を送信する工程Ａと、前記第２無線基地局が、前記第１無線基地局に対して、所望無線品質の測定及び報告を停止するように指示するための指示情報を含むハンドオーバ指示信号を含むハンドオーバ要求応答信号を送信する工程Ｂと、前記第１無線基地局が、前記移動局に対して、前記ハンドオーバ指示信号を送信する工程Ｃとを有することを要旨とする。
【発明の効果】
【００１０】
以上説明したように、本発明によれば、特定エリア内の不特定の移動局ＵＥに所望無線品質を測定させて報告させることができる移動通信方法を提供することができる。
【図面の簡単な説明】
【００１１】
【図１】本発明の第１の実施形態に係る移動通信システムの全体構成図である。
【図２】本発明の第１の実施形態に係る移動通信システムの動作を説明するための図である。
【図３】本発明の第１の実施形態に係る移動通信システムの動作を示すシーケンス図である。
【図４】本発明の第１の実施形態に係る移動通信システムの動作を示すシーケンス図である。
【図５】本発明の第１の実施形態に係る移動通信システムの動作を示すシーケンス図である。
【発明を実施するための形態】
【００１２】
（本発明の第１の実施形態に係る移動通信システム）
図１乃至図５を参照して、本発明の第１の実施形態に係る移動通信システムについて説明する。
【００１３】
図１に示すように、本実施形態に係る移動通信システムは、Ｏ＆Ｍ（Ｏｐｅｒａｔｉｏｎ  ＆  Ｍａｉｎｔｅｎａｎｃｅ）サーバと、移動管理ノードＭＭＥ（Ｍｏｂｉｌｉｔｙ  Ｍａｎａｇｅｍｅｎｔ  Ｅｎｔｉｔｙ）と、無線基地局ｅＮＢとを具備している。
【００１４】
本実施形態に係る移動通信システムは、測定対象エリア内のセルにおける不特定の移動局ＵＥに所望無線品質を測定させて報告させるように構成されている。
【００１５】
図２に示すように、Ｏ＆Ｍサーバ或いは移動管理ノードＭＭＥは、測定対象エリア内のセルを管理する無線基地局に対して、測定対象エリアを識別する「エリアＩＤ」や測定対象エリア内に含まれるセルを識別する「セルＩＤ（ＣＧＩ（Ｃｅｌｌ  Ｇｌｏｂａｌ  Ｉｄｅｎｔｉｔｙ）やＰＣＩ（Ｐｈｙｓｉｃａｌ  Ｃｅｌｌ  Ｉｄｅｎｔｉｔｙ）等）」や、ＭＤＴとして測定すべき所望無線品質や、ＭＤＴにおける測定結果の報告方法等について、事前に設定するように構成されている。
【００１６】
以下、図３乃至図５を参照して、本実施形態に係る移動通信システムの動作について説明する。
【００１７】
第１に、図３を参照して、本実施形態に係る移動通信システムにおいて、移動局ＵＥが、無線基地局ｅＮＢ＃Ａ配下の測定対象エリア外のセル＃Ａから、無線基地局ｅＮＢ＃Ｂ配下の測定対象エリア内のセル＃Ｂにハンドオーバする場合の動作について説明する。
【００１８】
図３に示すように、移動局ＵＥが、セル＃Ａにおいて、ＲＲＣ_Ｃｏｎｎｅｃｔｅｄ状態である場合に、ステップＳ１００１において、無線基地局ｅＮＢ＃Ａは、無線基地局ｅＮＢ＃Ｂに対して、「ＨＯ  Ｒｅｑｕｅｓｔ」を送信する。
【００１９】
ここで、無線基地局ｅＮＢ＃Ａは、無線基地局ｅＮＢ＃Ｂに対して、「ＨＯ  Ｒｅｑｕｅｓｔ」によって、セル＃Ａが測定対象エリア外のセルであることを示す測定対象エリア外情報を送信してもよい。
【００２０】
或いは、無線基地局ｅＮＢ＃Ａは、無線基地局ｅＮＢ＃Ｂに対して、「ＨＯ  Ｒｅｑｕｅｓｔ」によって、セル＃Ａに割り当てられている識別情報、例えば、セルＩＤやエリアＩＤ等を送信してもよい。
【００２１】
ステップＳ１００２において、無線基地局ｅＮＢ＃Ｂは、受信した「ＨＯ  Ｒｅｑｕｅｓｔ」に応じて、移動局ＵＥに送信すべき「ＨＯ  Ｃｏｍｍａｎｄ」を生成し、無線基地局ｅＮＢ＃Ａに対して、かかる「ＨＯ  Ｃｏｍｍａｎｄ」を含む「ＨＯ  Ｒｅｑｕｅｓｔ  Ａｃｋ」を送信する。
【００２２】
ここで、無線基地局ｅＮＢ＃Ｂは、上述の測定対象エリア外情報又はセル＃Ａに割り当てられている識別情報に基づいて、セル＃Ａが測定対象エリア外のセルであることを検出する。
【００２３】
その結果、無線基地局ｅＮＢ＃Ｂは、所望無線品質の測定及び報告を行うように指示するための「Ｍｅａｓｕｒｅｍｅｎｔ  Ｃｏｎｆｉｇｕｒａｔｉｏｎ」を生成し、無線基地局ｅＮＢ＃Ａに対して、「ＨＯ  Ｒｅｑｕｅｓｔ  Ａｃｋ」内の「ＨＯ  Ｃｏｍｍａｎｄ」によって、かかる「Ｍｅａｓｕｒｅｍｅｎｔ  Ｃｏｎｆｉｇｕｒａｔｉｏｎ」を送信する。
【００２４】
ステップＳ１００３において、無線基地局ｅＮＢ＃Ａが、移動局ＵＥに対して、上述の「Ｍｅａｓｕｒｅｍｅｎｔ  Ｃｏｎｆｉｇｕｒａｔｉｏｎ」を含む「ＨＯ  Ｃｏｍｍａｎｄ」を送信する。
【００２５】
その結果、移動局ＵＥは、「Ｍｅａｓｕｒｅｍｅｎｔ  Ｃｏｎｆｉｇｕｒａｔｉｏｎ」に基づいて、測定対象エリア内のセル＃Ｂにハンドオーバした後、所望無線品質を測定して報告する。
【００２６】
第２に、図４を参照して、本実施形態に係る移動通信システムにおいて、移動局ＵＥが、無線基地局ｅＮＢ＃Ｂ配下の測定対象エリア内のセル＃Ｂから、無線基地局ｅＮＢ＃Ｃ配下の測定対象エリア内のセル＃Ｃにハンドオーバする場合の動作について説明する。
【００２７】
図４に示すように、移動局ＵＥが、セル＃Ｂにおいて、ＲＲＣ_Ｃｏｎｎｅｃｔｅｄ状態である場合に、ステップＳ２００１において、無線基地局ｅＮＢ＃Ｂは、無線基地局ｅＮＢ＃Ｃに対して、「ＨＯ  Ｒｅｑｕｅｓｔ」を送信する。
【００２８】
ここで、無線基地局ｅＮＢ＃Ｂは、無線基地局ｅＮＢ＃Ｃに対して、「ＨＯ  Ｒｅｑｕｅｓｔ」によって、セル＃Ｂが測定対象エリア内のセルであることを示す測定対象エリア内情報を送信してもよい。
【００２９】
或いは、無線基地局ｅＮＢ＃Ｂは、無線基地局ｅＮＢ＃Ｃに対して、「ＨＯ  Ｒｅｑｕｅｓｔ」によって、セル＃Ｂに割り当てられている識別情報、例えば、セルＩＤやエリアＩＤ等を送信してもよい。
【００３０】
ステップＳ２００２において、無線基地局ｅＮＢ＃Ｃは、受信した「ＨＯ  Ｒｅｑｕｅｓｔ」に応じて、移動局ＵＥに送信すべき「ＨＯ  Ｃｏｍｍａｎｄ」を生成し、無線基地局ｅＮＢ＃Ｂに対して、かかる「ＨＯ  Ｃｏｍｍａｎｄ」を含む「ＨＯ  Ｒｅｑｕｅｓｔ  Ａｃｋ」を送信する。
【００３１】
ここで、無線基地局ｅＮＢ＃Ｂは、上述の測定対象エリア内情報又はセル＃Ｂに割り当てられている識別情報に基づいて、セル＃Ｂが測定対象エリア内のセルであることを検出する。
【００３２】
なお、セル＃Ｂ及びセル＃Ｃが、同じ測定対象エリアに存在しており、「Ｍｅａｓｕｒｅｍｅｎｔ  Ｃｏｎｆｉｇｕｒａｔｉｏｎ」内の情報要素に変更点がない場合、無線基地局ｅＮＢ＃Ｃは、無線基地局ｅＮＢ＃Ｂに対して、「ＨＯ  Ｒｅｑｕｅｓｔ  Ａｃｋ」内の「ＨＯ  Ｃｏｍｍａｎｄ」によって、「Ｍｅａｓｕｒｅｍｅｎｔ  Ｃｏｎｆｉｇｕｒａｔｉｏｎ」を送信しなくてもよい。
【００３３】
ステップＳ２００３において、無線基地局ｅＮＢ＃Ａが、移動局ＵＥに対して、「ＨＯ  Ｒｅｑｕｅｓｔ  Ａｃｋ」に含まれている「ＨＯ  Ｃｏｍｍａｎｄ」を送信する。
【００３４】
その結果、移動局ＵＥは、測定対象エリア内のセル＃Ｃにハンドオーバした後、セル＃Ｃの場合と同様の所望無線品質を測定して報告する。
【００３５】
第３に、図５を参照して、本実施形態に係る移動通信システムにおいて、移動局ＵＥが、無線基地局ｅＮＢ＃Ｃ配下の測定対象エリア内のセル＃Ｃから、無線基地局ｅＮＢ＃Ｄ配下の測定対象エリア外のセル＃Ｄにハンドオーバする場合の動作について説明する。
【００３６】
図５に示すように、移動局ＵＥが、セル＃Ｃにおいて、ＲＲＣ_Ｃｏｎｎｅｃｔｅｄ状態である場合に、ステップＳ３００１において、無線基地局ｅＮＢ＃Ｃは、無線基地局ｅＮＢ＃Ｄに対して、「ＨＯ  Ｒｅｑｕｅｓｔ」を送信する。
【００３７】
ここで、無線基地局ｅＮＢ＃Ｃは、無線基地局ｅＮＢ＃Ｄに対して、「ＨＯ  Ｒｅｑｕｅｓｔ」によって、セル＃Ｃが測定対象エリア内のセルであることを示す測定対象エリア内情報を送信してもよい。
【００３８】
或いは、無線基地局ｅＮＢ＃Ｃは、無線基地局ｅＮＢ＃Ｄに対して、「ＨＯ  Ｒｅｑｕｅｓｔ」によって、セル＃Ｃに割り当てられている識別情報、例えば、セルＩＤやエリアＩＤ等を送信してもよい。
【００３９】
ステップＳ３００２において、無線基地局ｅＮＢ＃Ｄは、受信した「ＨＯ  Ｒｅｑｕｅｓｔ」に応じて、移動局ＵＥに送信すべき「ＨＯ  Ｃｏｍｍａｎｄ」を生成し、無線基地局ｅＮＢ＃Ｃに対して、かかる「ＨＯ  Ｃｏｍｍａｎｄ」を含む「ＨＯ  Ｒｅｑｕｅｓｔ  Ａｃｋ」を送信する。
【００４０】
ここで、無線基地局ｅＮＢ＃Ｄは、上述の測定対象エリア内情報又はセル＃Ｃに割り当てられている識別情報に基づいて、セル＃Ｃが測定対象エリア内のセルであることを検出する。
【００４１】
その結果、無線基地局ｅＮＢ＃Ｄは、所望無線品質の測定及び報告を行うように指示するための「Ｍｅａｓｕｒｅｍｅｎｔ  Ｃｏｎｆｉｇｕｒａｔｉｏｎ（Ｄｅｌｔａ  Ｃｏｎｆｉｇｕｒａｔｉｏｎ）」を生成し、無線基地局ｅＮＢ＃Ｃに対して、「ＨＯ  Ｒｅｑｕｅｓｔ  Ａｃｋ」内の「ＨＯ  Ｃｏｍｍａｎｄ」によって、かかる「Ｍｅａｓｕｒｅｍｅｎｔ  Ｃｏｎｆｉｇｕｒａｔｉｏｎ（Ｄｅｌｔａ  Ｃｏｎｆｉｇｕｒａｔｉｏｎ）」を送信してもよい。
【００４２】
ステップＳ３００３において、無線基地局ｅＮＢ＃Ｃが、移動局ＵＥに対して、上述の「Ｍｅａｓｕｒｅｍｅｎｔ  Ｃｏｎｆｉｇｕｒａｔｉｏｎ（ｄｅｌｔａ  ｃｏｎｆｉｇｕｒａｔｉｏｎ）」を含む「ＨＯ  Ｃｏｍｍａｎｄ」を送信する。
【００４３】
その結果、移動局ＵＥは、測定対象エリア外のセル＃Ｄにハンドオーバした後、所望無線品質の測定及び報告を停止する。
【００４４】
本実施形態に係る移動通信システムによれば、測定対象エリア内の不特定の移動局ＵＥに所望無線品質を測定させて報告させることができる。
【００４５】
以上に述べた本実施形態の特徴は、以下のように表現されていてもよい。
【００４６】
本実施形態の第１の特徴は、移動局ＵＥが、無線基地局ｅＮＢ＃Ａ（第１無線基地局）配下の測定対象エリア外のセル＃Ａ（第１セル）から、無線基地局ｅＮＢ＃Ｂ（第２無線基地局）配下の測定対象エリア内のセル＃Ｂ（第２セル）にハンドオーバする移動通信方法であって、無線基地局ｅＮＢ＃Ａが、無線基地局ｅＮＢ＃Ｂに対して、「ＨＯ  Ｒｅｑｕｅｓｔ（ハンドオーバ要求信号）」を送信する工程Ａと、無線基地局ｅＮＢ＃Ｂが、無線基地局ｅＮＢ＃Ａに対して、所望無線品質の測定及び報告を行うように指示するための「Ｍｅａｓｕｒｅｍｅｎｔ  Ｃｏｎｆｉｇｕｒａｔｉｏｎ（指示情報）」を含む「ＨＯ  Ｃｏｍｍａｎｄ」を含む「ＨＯ  Ｒｅｑｕｅｓｔ  Ａｃｋ（ハンドオーバ要求応答信号）」を送信する工程Ｂと、無線基地局ｅＮＢ＃Ａが、移動局ＵＥに対して、「Ｍｅａｓｕｒｅｍｅｎｔ  Ｃｏｎｆｉｇｕｒａｔｉｏｎ」を含む「ＨＯ  Ｃｏｍｍａｎｄ（ハンドオーバ指示信号）」を送信する工程Ｃとを有することを要旨とする。
【００４７】
本実施形態の第１の特徴において、工程Ａにおいて、無線基地局ｅＮＢ＃Ａは、セル＃Ａが測定対象エリア外のセルであることを示す測定対象エリア外情報を含む「ＨＯ  Ｒｅｑｕｅｓｔ」を送信し、工程Ｂにおいて、無線基地局ｅＮＢ＃Ｂは、測定対象エリア外情報に応じて、上述の「ＨＯ  Ｒｅｑｕｅｓｔ  Ａｃｋ」を送信してもよい。
【００４８】
本実施形態の第１の特徴において、工程Ａにおいて、無線基地局ｅＮＢ＃Ａは、セル＃Ａに割り当てられている識別情報（セルＩＤ又はエリアＩＤ）を含む「ＨＯ  Ｒｅｑｕｅｓｔ」を送信し、工程Ｂにおいて、無線基地局ｅＮＢ＃Ｂは、セル＃Ａに割り当てられている識別情報に応じて、上述の「ＨＯ  Ｒｅｑｕｅｓｔ  Ａｃｋ」を送信してもよい。
【００４９】
本実施形態の第２の特徴は、移動局ＵＥが、無線基地局ｅＮＢ＃Ｂ（第１無線基地局）配下の測定対象エリア内のセル＃Ｂ（第１セル）から、無線基地局ｅＮＢ＃Ｃ（第２無線基地局）配下の測定対象エリア内のセル＃Ｃ（第２セル）にハンドオーバする移動通信方法であって、移動局ＵＥに対して、所望無線品質の測定及び報告を行うように指示するための「Ｍｅａｓｕｒｅｍｅｎｔ  Ｃｏｎｆｉｇｕｒａｔｉｏｎ」を送信する工程と、無線基地局ｅＮＢ＃Ｂが、無線基地局ｅＮＢ＃Ｃに対して、セル＃Ａが測定対象エリア内のセルであることを示す測定対象エリア内情報を含む「ＨＯ  Ｒｅｑｕｅｓｔ」を送信する工程と、無線基地局ｅＮＢ＃Ｃが、測定対象エリア内情報に応じて、無線基地局ｅＮＢ＃Ｂに対して、「Ｍｅａｓｕｒｅｍｅｎｔ  Ｃｏｎｆｉｇｕｒａｔｉｏｎ」を含まない「ＨＯ  Ｃｏｍｍａｎｄ」を含む「ＨＯ  Ｒｅｑｕｅｓｔ  Ａｃｋ」を送信する工程と、無線基地局ｅＮＢ＃Ｂが、移動局ＵＥに対して、かかる「ＨＯ  Ｃｏｍｍａｎｄ」を送信する工程とを有することを要旨とする。
【００５０】
本実施形態の第３の特徴は、移動局ＵＥが、無線基地局ｅＮＢ＃Ｂ配下の測定対象エリア内のセル＃Ｂから、無線基地局ｅＮＢ＃Ｃ配下の測定対象エリア内のセル＃Ｃにハンドオーバする移動通信方法であって、移動局ＵＥに対して、所望無線品質の測定及び報告を行うように指示するための「Ｍｅａｓｕｒｅｍｅｎｔ  Ｃｏｎｆｉｇｕｒａｔｉｏｎ」を送信する工程と、無線基地局ｅＮＢ＃Ｂが、無線基地局ｅＮＢ＃Ｃに対して、セル＃Ｂに割り当てられている識別情報（セルＩＤ又はエリアＩＤ）を含む「ＨＯ  Ｒｅｑｕｅｓｔ」を送信する工程と、無線基地局ｅＮＢ＃Ｃが、セル＃Ｂに割り当てられている識別情報に応じて、無線基地局ｅＮＢ＃Ｂに対して、「Ｍｅａｓｕｒｅｍｅｎｔ  Ｃｏｎｆｉｇｕｒａｔｉｏｎ」を含まない「ＨＯ  Ｃｏｍｍａｎｄ」を含む「ＨＯ  Ｒｅｑｕｅｓｔ  Ａｃｋ」を送信する工程と、無線基地局ｅＮＢ＃Ｂが、移動局ＵＥに対して、かかる「ＨＯ  Ｃｏｍｍａｎｄ」を送信する工程とを有することを要旨とする。
【００５１】
本実施形態の第４の特徴は、移動局ＵＥが、無線基地局ｅＮＢ＃Ｃ（第１無線基地局）配下の測定対象エリア内のセル＃Ｃ（第１セル）から、無線基地局ｅＮＢ＃Ｄ（第２無線基地局）配下の測定対象エリア外のセル＃Ｄ（第２セル）にハンドオーバする移動通信方法であって、無線基地局ｅＮＢ＃Ｃが、無線基地局ｅＮＢ＃Ｄに対して、「ＨＯ  Ｒｅｑｕｅｓｔ」を送信する工程Ａと、無線基地局ｅＮＢ＃Ｄが、無線基地局ｅＮＢ＃Ｃに対して、所望無線品質の測定及び報告を停止するように指示するための「Ｍｅａｓｕｒｅｍｅｎｔ  Ｃｏｎｆｉｇｕｒａｔｉｏｎ」を含む「ＨＯ  Ｃｏｍｍａｎｄ」を含む「ＨＯ  Ｒｅｑｕｅｓｔ  Ａｃｋ」を送信する工程Ｂと、無線基地局ｅＮＢ＃Ｃが、移動局ＵＥに対して、「Ｍｅａｓｕｒｅｍｅｎｔ  Ｃｏｎｆｉｇｕｒａｔｉｏｎ」を含む「ＨＯ  Ｃｏｍｍａｎｄ」を送信する工程Ｃとを有することを要旨とする。
【００５２】
本実施形態の第４の特徴において、工程Ａにおいて、無線基地局ｅＮＢ＃Ｃは、セル＃Ｃが測定対象エリア内のセルであることを示す測定対象エリア外情報を含む「ＨＯ  Ｒｅｑｕｅｓｔ」を送信し、工程Ｂにおいて、無線基地局ｅＮＢ＃Ｄは、測定対象エリア内情報に応じて、上述の「ＨＯ  Ｒｅｑｕｅｓｔ  Ａｃｋ」を送信してもよい。
【００５３】
本実施形態の第４の特徴において、工程Ａにおいて、無線基地局ｅＮＢ＃Ｃは、セル＃Ｃに割り当てられている識別情報（セルＩＤ又はエリアＩＤ）を含む「ＨＯ  Ｒｅｑｕｅｓｔ」を送信し、工程Ｂにおいて、無線基地局ｅＮＢ＃Ｄは、セル＃Ｃに割り当てられている識別情報に応じて、上述の「ＨＯ  Ｒｅｑｕｅｓｔ  Ａｃｋ」を送信してもよい。
【００５４】
なお、上述のＯ＆Ｍサーバや移動管理ノードＭＭＥや無線基地局ｅＮＢや移動局ＵＥの動作は、ハードウェアによって実施されてもよいし、プロセッサによって実行されるソフトウェアモジュールによって実施されてもよいし、両者の組み合わせによって実施されてもよい。
【００５５】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００５６】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、Ｏ＆Ｍサーバや移動管理ノードＭＭＥや無線基地局ｅＮＢや移動局ＵＥ内に設けられていてもよい。また、かかる記憶媒体及びプロセッサは、ディスクリートコンポーネントとしてＯ＆Ｍサーバや移動管理ノードＭＭＥや無線基地局ｅＮＢや移動局ＵＥ内に設けられていてもよい。
【００５７】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００５８】
ＵＥ…移動局
ｅＮＢ…無線基地局
ＭＭＥ…移動管理ノード
【図１】
2012005093.tif 000003
【図２】
2012005093.tif 000004
【図３】
2012005093.tif 000005
【図４】
2012005093.tif 000006
【図５】
2012005093.tif 000007
【手続補正書】
【提出日】平成23年5月10日(2011.5.10)
【手続補正１】
【補正対象書類名】特許請求の範囲
【補正対象項目名】全文
【補正方法】変更
【補正の内容】
【特許請求の範囲】
【請求項１】
移動局が、第１無線基地局配下の測定対象エリア内の第１セルから、第２無線基地局配下の測定対象エリア内の第２セルにハンドオーバする移動通信方法であって、
前記移動局に対して、所望無線品質の測定及び報告を行うように指示するための指示情報を送信する工程と、
前記第１無線基地局が、前記第２無線基地局に対して、前記第１セルに割り当てられている識別情報を含むハンドオーバ要求信号を送信する工程と、
前記第２無線基地局が、前記第１セルに割り当てられている識別情報に応じて、前記第１無線基地局に対して、前記指示情報を含まないハンドオーバ指示信号を含むハンドオーバ要求応答信号を送信する工程と、
前記第１無線基地局が、前記移動局に対して、前記ハンドオーバ指示信号を送信する工程とを有することを特徴とする移動通信方法。
【請求項２】
所望無線品質の測定及び報告を行うように指示する指示情報を受信している移動局が、第１無線基地局配下の測定対象エリア内の第１セルから、第２無線基地局配下の測定対象エリア内の第２セルにハンドオーバする移動通信方法において該第１無線基地局として動作する無線基地局であって、
前記第２無線基地局に対して、前記第１セルに割り当てられている識別情報を含むハンドオーバ要求信号を送信するように構成されており、
前記第２無線基地局から、前記指示情報を含まないハンドオーバ指示信号を含むハンドオーバ要求応答信号を受信するように構成されており、
前記移動局に対して、前記ハンドオーバ指示信号を送信するように構成されていることを特徴とする無線基地局。
【請求項３】
所望無線品質の測定及び報告を行うように指示する指示情報を受信している移動局が、第１無線基地局配下の測定対象エリア内の第１セルから、第２無線基地局配下の測定対象エリア内の第２セルにハンドオーバする移動通信方法において該第２無線基地局として動作する無線基地局であって、
前記第１無線基地局から、前記第１セルに割り当てられている識別情報を含むハンドオーバ要求信号を受信するように構成されており、
前記第１セルに割り当てられている識別情報に応じて、前記第１無線基地局に対して、前記指示情報を含まないハンドオーバ指示信号を含むハンドオーバ要求応答信号を送信するように構成されていることを特徴とする無線基地局。